(57)【要約】【課題】画像形成装置等でのプレビュー表示の際に最適な画像表示装置の提供。【解決手段】本発明は、原稿画像を読み取り、当該原稿画像のプレビューを表示可能な画像表示装置を前提とする。そして、本発明の画像表示装置は、セキュリティ設定受付手段と、画像処理手段と、プレビュー表示手段を備える。セキュリティ設定受付手段は、原稿画像のプレビューをセキュリティ表示させるか否かの設定を受け付ける。画像処理手段は、セキュリティ設定受付手段が原稿画像のプレビューをセキュリティ表示させる設定を受け付けた原稿画像に画質劣化処理を施す。そして、プレビュー表示手段が、セキュリティ表示させる設定を受け付けた原稿画像をプレビュー表示する際に、画像処理手段により画質劣化処理を施した原稿画像を表示することを特徴とする。【選択図】図５
2010258771.tif 000002
【特許請求の範囲】
【請求項１】
原稿画像を読み取り、当該原稿画像のプレビューを表示可能な画像表示装置において、
前記原稿画像のプレビューをセキュリティ表示させるか否かの設定を受け付けるセキュリティ設定受付手段と、
前記セキュリティ設定受付手段が前記原稿画像のプレビューをセキュリティ表示させる設定を受け付けた原稿画像に、画質劣化処理を施す画像処理手段と、
セキュリティ表示させる設定を受け付けた原稿画像をプレビュー表示する際に、前記画像処理手段により画質劣化処理を施した原稿画像を表示するプレビュー表示手段と、
を備えることを特徴とする画像表示装置。
【請求項２】
前記プレビュー表示手段が原稿画像をセキュリティ表示する際に、前記画像処理手段による画質劣化処理が施される請求項１に記載の画像表示装置。
【請求項３】
画像形成装置が原稿画像を読み取る際に、前記画像処理手段による画質劣化処理が施される請求項１に記載の画像表示装置。
【請求項４】
前記セキュリティ設定受付手段が前記原稿画像のプレビューをセキュリティ表示させる設定を受け付けると、セキュリティ表示させる原稿画像であることを示すセキュリティ情報を当該原稿画像に付加するセキュリティ情報付加手段を更に備え、
前記画像処理手段が、前記セキュリティ情報が付加された原稿画像の特定の領域に画質劣化処理を施し、
前記プレビュー表示手段が、原稿画像をプレビュー表示する際に、当該原稿画像に前記セキュリティ情報が付加されていると、前記画像処理手段により画質劣化処理を施した原稿画像を表示する請求項１から３いずれか一項に記載の画像表示装置。
【請求項５】
前記セキュリティ設定受付手段が、前記原稿画像をセキュリティ表示させるか否かの設定を当該原稿画像のページ毎に受け付け、
前記セキュリティ設定受付手段が受け付けたページに対応する画像であるページ画像に、前記セキュリティ情報付加手段がセキュリティ情報を付加する、請求項４に記載の画像表示装置。
【請求項６】
前記画像処理手段が画質劣化処理を施す特定の領域は、原稿画像の文字領域であり、
前記画像処理手段が当該文字領域に施す画質劣化処理は、文字領域のカラー画像をモノクロ画像に変更する処理、文字領域の解像度を所定の解像度まで低下させる処理、文字領域にぼかしを施す処理の、少なくともいずれかを含む、請求項４または５に記載の画像表示装置。
【請求項７】
前記セキュリティ原稿画像受付手段が、原稿画像を読み取る前に、複数の画質劣化処理のうち、所定の画質劣化処理をユーザから受け付ける、請求項１から６いずれか一項に記載の画像表示装置。
【請求項８】
更に、原稿画像を読み取る前に、原稿画像のデータの送信先をユーザから受け付ける送信先受付手段と、
前記プレビュー表示手段が原稿画像をセキュリティ表示すると、当該セキュリティ表示した原稿画像のデータを前記送信先に送信するデータ送信手段を備える請求項１から７いずれか一項に記載の画像表示装置。
【請求項９】
請求項１から８いずれか一項に記載の画像表示装置を備えた画像形成装置。
【発明の詳細な説明】
【技術分野】
【０００１】
本発明は、画像表示装置及び、画像形成装置に関し、読み取った画像をプレビュー表示する際の処理に最適な画像表示装置及び、画像形成装置である。
【背景技術】
【０００２】
画像形成装置には様々な機能が付加されている。ユーザが、予め原稿画像を画像形成装置に記憶させておいて、後から当該原稿画像を印刷等することもできる。その際、画像形成する原稿画像を特定する必要があるので、ユーザは、例えば画像形成装置に備えられたプレビュー画面で原稿画像を特定することがある。原稿画像のファイル名だけでは、誤った原稿画像を画像形成してしまうことがあるからである。
【０００３】
上記のように、プレビュー画面で確認することで、画像形成したい原稿画像を特定できるのであるが、プレビューを行うと、他人にも当該原稿画像が視認可能となるので、プレビューを敬遠するユーザも多い。特に、当該原稿画像が重要機密を含んだ画像であるとプレビュー表示により、機密情報が他人に知られてしまう。画像形成装置に備えられたディスプレイの表示は拡大することも可能であり、当該ディスプレイの技術が進むと原稿画像が現在よりも更に明確に表示されると思われる。このため、下記特許文献には、セキュリティに考慮してプレビュー表示を行う技術が開示されている。
【先行技術文献】
【特許文献】
【０００４】
【特許文献１】特開平１１−５５４４３
【特許文献２】特開２００３−３２４８７
【特許文献３】特開２００３−３２４８８
【発明の概要】
【発明が解決しようとする課題】
【０００５】
上記従来技術は、プレビュー表示の際に、ユーザが特定したページ全体を他の画像に置き換えることで、他人に原稿画像が視認される事を防ぐ技術である。しかしながら、上記従来技術を使用してプレビューを行うと、ページ全体が別の画像に置き換わるので、他人が原稿画像を視認できないだけでなく、ユーザ本人であってもプレビューした原稿画像が特定できないことになる。従来技術のように、ユーザ本人が原稿画像を特定できないとすると、プレビュー表示をする意味を失ってしまう。
【０００６】
したがって、セキュリティに考慮し、且つ、ユーザ本人であれば、プレビューした原稿画像が特定可能な画像形成装置が要請されていた。
【課題を解決するための手段】
【０００７】
上記課題を解決するための本発明は、原稿画像を読み取り、当該原稿画像のプレビューを表示可能な画像表示装置を前提とする。そして、本発明の画像表示装置は、セキュリティ設定受付手段と、画像処理手段と、プレビュー表示手段を備える。
【０００８】
セキュリティ設定受付手段は、原稿画像のプレビューをセキュリティ表示させるか否かの設定を受け付ける。画像処理手段は、セキュリティ設定受付手段が原稿画像のプレビューをセキュリティ表示させる設定を受け付けた原稿画像に画質劣化処理を施す。そして、プレビュー表示手段が、セキュリティ表示させる設定を受け付けた原稿画像をプレビュー表示する際に、画像処理手段により画質劣化処理を施した原稿画像を表示することを特徴とする。
【０００９】
上記の構成であると、画像処理手段が画質劣化処理を施した原稿画像をプレビュー表示することで、セキュリティ表示が可能となる。
【００１０】
上記の構成において、プレビュー表示手段が原稿画像をセキュリティ表示する際に、画像処理手段による画質劣化処理が施される構成を採用することができる。又は、上記の構成において、画像表示装置が原稿画像を読み取る際に、画像処理手段による画質劣化処理が施される構成を採用することができる。
【００１１】
上記の構成において、セキュリティ情報付加手段を更に備えることが望ましい。セキュリティ情報付加手段は、セキュリティ設定受付手段が原稿画像のプレビューをセキュリティ表示させる設定を受け付けると、セキュリティ表示させる原稿画像であることを示すセキュリティ情報を当該原稿画像に付加する。そして、画像処理手段が、セキュリティ情報が付加された原稿画像の文字領域に画質劣化処理を施す。また、プレビュー表示手段が、原稿画像をプレビュー表示する際に、当該原稿画像にセキュリティ情報が付加されていると、画像処理手段により画質劣化処理を施した原稿画像を表示することが望ましい。
【００１２】
上記の構成であると、セキュリティ表示させる原稿画像に対して、文字を含む領域に画質劣化処理を施した原稿画像をプレビュー表示させることができるので、ユーザは、プレビュー表示された原稿画像を特定しやすくすることができる。
【００１３】
上記の構成において、セキュリティ設定受付手段が、原稿画像をセキュリティ表示させるか否かの設定を当該原稿画像のページ毎に受け付ける構成を採用し、セキュリティ設定受付手段が受け付けたページに対応する画像であるページ画像に、セキュリティ情報付加手段がセキュリティ情報を付加する事が望ましい。
【００１４】
上記の構成であると、複数のページを有する原稿画像のうち、セキュリティ表示させるページを判断する際に、原稿画像にセキュリティ情報が付加されているか否かを判断基準とすることができる。更に、複数のページを有する原稿画像を当該原稿画像のページ毎に記憶する画像データ記憶手段を備える事が望ましい。
【００１５】
上記の構成において、画像処理手段が画質劣化処理を施す特定の領域は、原稿画像の文字領域であり、画像処理手段が当該文字領域に施す画質劣化処理は、文字を含む領域のカラー画像をモノクロ画像に変更する処理、文字を含む領域の解像度を所定の解像度まで低下させる処理、文字を含む領域にぼかしを施す処理の、少なくともいずれかを含むことが望ましい。
【００１６】
更に、セキュリティ原稿画像受付手段が、原稿画像を読み取る前に、複数の画質劣化処理のうち、所定の画質劣化処理をユーザから受け付ける構成であると、どのようなセキュリティ表示をさせるかをユーザが指定することが可能となる。
【００１７】
上記の構成において、原稿画像を読み取る前に、原稿画像のデータの送信先をユーザから受け付ける送信先受付手段と、プレビュー表示手段がセキュリティ表示すると、当該セキュリティ表示した原稿画像のデータを送信先に送信するデータ送信手段とを備えることが望ましい。
【００１８】
更に、上記の構成の画像表示手段を備える画像形成装置を備える構成を採用することが望ましい。
【発明の効果】
【００１９】
本発明の画像表示装置及び、画像形成装置によると、プレビュー表示する際に、ユーザが指定した原稿画像については、セキュリティ表示をさせることができる。更に、原稿画像の特定の領域例えば文字領域を画質劣化させてセキュリティ表示させることで、ユーザが、セキュリティ表示されている原稿画像を特定することが可能である。
【図面の簡単な説明】
【００２０】
【図１】本発明の実施形態の画像形成装置の全体構成を示す図である。
【図２】本発明の実施形態の読取部の概略構成を示す図である。
【図３】本発明の実施形態の操作部を示す図である。
【図４】本発明の実施形態に係る画像形成装置の制御系ハードウェアの構成を示す図である。
【図５】本発明の実施形態に係る画像形成装置の機能ブロック図である。
【図６（Ａ）】本発明の実施形態のプレビュー表示の処理のフローチャートである。
【図６（Ｂ）】本発明の実施形態のプレビュー表示の処理のフローチャートである。
【図７】本発明の実施形態のタッチパネルに表示される画面の例を示す図である。
【図８】本発明の実施形態のタッチパネルに表示される画面の例を示す図である。
【図９（Ａ）】本発明の実施形態のプレビュー表示の処理のフローチャートである。
【図９（Ｂ）】本発明の実施形態のプレビュー表示の処理のフローチャートである。
【図１０】本発明の実施形態に係る画像形成装置の機能ブロック図である。
【図１１】本発明の実施形態のタッチパネルに表示される画面の例を示す図である。
【発明を実施するための形態】
【００２１】
（画像形成装置）
以下に、本発明で使用する画像形成装置を説明する。本発明の実施形態に係る画像形成装置は、プリンタ、コピー、スキャナ、ファックス等を備えた複合機、デジタル複写機、プリンタ等が該当し、コピーサービス、スキャナサービス、ファクシミリサービス、プリンタサービス等を備えた画像形成装置として機能する。
【００２２】
図１は、複合機の概略模式図である。ただし、本発明に直接には関係しない各部の詳細は省略している。なお、一例として複合機を利用して原稿のコピーを行う際の画像形成装置の動作を簡単に説明する。
【００２３】
ユーザが複合機１００を利用して例えば原稿の印刷を行う場合、原稿を図１に示す原稿台１０３、或いは載置台１０５に配置し、原稿台１０３近傍に備えられた操作部２００に対して印刷の指示を行う。当該指示があると、以下に示す各部（駆動部）が動作することで、印刷が行われる。
【００２４】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２５】
原稿台１０３の下方には、読取部１１０が設けられており、図２にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子１１５にて受光した光を電気信号に変換し、必要に応じて補正・修正などを行う画像データ生成部１１４とで構成されている。
【００２６】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００２７】
また、読取部１１０が原稿台１０３に載置された原稿を読み取る場合は、第一のキャリッジ１１７は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００２８】
撮像素子１１５は、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００２９】
本体１０１の読取部１１０の下方には、画像データを印刷する印刷部１２０を備えている。印刷部１２０が印刷できる画像は、上記のように画像データ生成部１１４にて生成されたものや、複合機１００に接続された通信ケーブル１５０を介して、ネットワーク１５１から画像形成の指示とともに送信される場合もある。
【００３０】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００３１】
可視像が印刷される用紙は、手差しトレイ１３１、給紙カセット１３２、１３３、１３４などの給紙トレイに載置されたものである。
【００３２】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。用紙を引き出す場合、手差しトレイ１３１に載置された用紙を、手差しトレイ用ピックアップローラ１３６を用いて引き出しても構わない。
【００３３】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００３４】
以上が、複合機１００における基本的なコピーサービスの処理である。なお、複合機１００は、上述した各部（読取部１１０、印刷部１２０）を適宜協働的に動作することによって、他の機能、例えば、ファクシミリ送受信機能、プリント機能、スキャン機能、後処理機能、メモリ機能等をユーザに提供する。
【００３５】
図３は、複合機１００に備えられた操作部２００の外観の一例を示す図である。ユーザは、上記操作部２００を用いて、上述のような機能提供についての設定条件等を入力する。設定条件の入力、各サービスの実行開始、メンテナンスモード画面のパラメータ設定等が行なわれる際に、上記操作部２００に備えられたタッチパネル３０１、タッチペン３０２、操作キー３０３が用いられる。タッチパネル３０１上に表示された画面（例えば、画像形成画面）内の選択項目等を押下することによって、選択項目等に関連付けられた設定条件の入力が行われる。
【００３６】
プレビュー画面は、上記タッチパネル３０１に表示されることになるが、プレビュー画面としてモニター等の表示部（図示しない）を設けても構わない。
【００３７】
タッチパネル３０１の近傍には、タッチペン３０２が備えられており、ユーザがそのタッチペン３０２の先をタッチパネル３０１に接触させると、タッチパネル３０１下方に設けられたセンサが接触先を検知する。そのため、タッチペン３０２の接触により、キーボード画面のキーの押下や所定の手書き情報の入力が可能である。所定の手書き情報は、随時、所定の文字等に変換される。
【００３８】
さらに、タッチパネル３０１近傍には、所定数の操作キー３０３が設けられ、例えば、テンキー３０４、スタートキー３０５、クリアキー３０６、ストップキー３０７、リセットキー３０８、電源キー３０９が備えられている。なお、上記テンキー３０４は、部数や倍率を設定する際に具体的な数字の入力に用いられる。
【００３９】
次に、図４を用いて、複合機１００の制御系ハードウェアの構成を説明する。図４は、複合機１００における制御系ハードウェアの概略構成図である。ただし、本発明に直接には関係しない各部の詳細は省略している。
【００４０】
複合機１００の制御回路は、ＣＰＵ（Ｃｅｎｔｒａｌ  Ｐｒｏｃｅｓｓｉｎｇ  Ｕｎｉｔ）４０１、ＲＯＭ（Ｒｅａｄ  Ｏｎｌｙ  Ｍｅｍｏｒｙ）４０２、ＲＡＭ（Ｒａｎｄｏｍ  Ａｃｃｅｓｓ  Ｍｅｍｏｒｙ）４０３、ＨＤＤ（Ｈａｒｄ  Ｄｉｓｋ  Ｄｒｉｖｅ）４０４、各駆動部に対応するドライバ４０６を内部バス４０７によって接続している。上記ＣＰＵ４０１は、例えば、ＲＡＭ４０３を作業領域として利用し、上記ＲＯＭ４０２、ＨＤＤ４０４等に記憶されているプログラムを実行し、当該実行結果に基づいて上記ドライバ４０６と図示しない操作部２００からのデータ、指示等を授受し、上記図１から図３に示した各駆動部等の動作を制御する。また、上記駆動部以外についても、上記ＣＰＵ４０１がプログラムを実行することで後述の各手段（図５に示す）を実現する。上記ＲＯＭ４０２、ＨＤＤ４０４等には、上記各手段を実現するプログラムやデータが記憶されている。
【００４１】
更に、通信インターフェイス４０５は、通信ケーブル１５０から形成されるネットワーク１５１と接続されている。ネットワーク１５１は、例えば、他の通信ケーブルを介して、パーソナルコンピュータ（ＰＣ）２１１と接続されているため、上記ＣＰＵ３０１は、通信インターフェイス４０５を介してネットワーク１５０に接続されたＰＣ５６０とデータの授受を行う。なお、通信インターフェイス４０５は、上記ＰＣ２１１の他の複合機２０８、ファクシミリ装置２０９、スキャナ２１０等に接続できることは言うまでも無い。
（実施の形態１）
次に図５，６を参照しながら、実施の形態１に係る複合機１００のセキュリティ表示処理の手順について説明する。図５は、本実施の形態の複合機１００の機能ブロック図である。図６は、本実施の形態の複合機１００のセキュリティ表示処理を示すためのフローチャートである。
【００４２】
表示受付手段５００がタッチパネル３０１に初期画面として、処理条件設定画面７００を表示する。上記処理条件設定画面７００には、各種処理機能が表示される。例えば、図７（Ａ）に示すように、処理条件設定画面７００には、コピー機能に関する処理項目７０５が表示されている。更に、上記処理条件設定画面７００には、ファクシミリに関する処理項目タブ７０８と、原稿読み取りに関する処理項目タブ７１０等が表示されている。
【００４３】
上記いずれかの処理項目タブを押下することにより、ユーザは各種処理機能に関する設定条件を入力するための画面を表示することが可能となる。ここで、ユーザが原稿読み取りに関する処理項目タブ７１０を選択すると、上記表示受付手段５００が、図７（Ｂ）に示すように、原稿読取に関する読取条件入力画面７３０を表示する。
【００４４】
上記読取条件入力画面７３０には、後述のセキュリティプレビューに関する設定条件入力画面を表示するための「セキュリティ表示」の項目７３１が表示される。更に、読み取った原稿画像を記憶するための「文書ＢＯＸ」の項目７４０が、当該「文書ＢＯＸ」を開くためのパスワードが設定できる「パスワード設定」の項目７４５とともに表示される。
【００４５】
また、上記各項目の他、読取条件入力画面７３０には、「解像度」の項目７３２、「カラー／白黒」の項目７３３、「削除」の項目７３４等が表示される。
【００４６】
次に、ユーザが、上記読取条件入力画面７３０の内、「セキュリティ表示」の項目７３１を押下すると（ユーザによるセキュリティモードへの切り替え要求）、上記表示受付手段５００が、セキュリティプレビューに関するセキュリティプレビュー設定条件入力画面７６０を表示する（図６（Ａ）：Ｓ１０１→Ｓ１０２）。セキュリティプレビュー設定は、原稿毎（ページ毎）に設定可能に構成されており、例えば何ページ目をセキュリティプレビュー表示（以下セキュリティ表示）させるか等を設定できる。例えば、上記セキュリティ設定条件入力画面７６０には、セキュリティ表示をさせたい原稿画像のページ数を入力するための、ページ数入力項目７６１が表示され、加えて、セキュリティ表示させる際に、画像の劣化処理を選択する項目である、「カラーからモノクロへ」の項目７６３、「解像度低下」の項目７６５、「ぼかし処理」の項目７６７の各項目が表示される。
【００４７】
上記読取条件入力画面７３０に対して、ユーザが、原稿読取条件及び、読み取った原稿画像を記憶させる文書ＢＯＸの番号を選択する。文書ＢＯＸの番号の選択の際には、上記「パスワード設定」の項目７４５を押下し、所定のパスワード設定をすることが望ましい。
【００４８】
例えば、「文書ＢＯＸ」の項目７４０から、番号「００１」の文書ＢＯＸについての「パスワード設定」の項目７４５を押下すると、番号「００１」の文書ＢＯＸを開く際に必要なパスワードを登録可能な画面（図示しない）を表示する。ユーザは、当該画面で所定のパスワードが登録可能な構成を採用することができる。そして、上記番号「００１」の文書ＢＯＸを開く際にパスワードの入力を求め、入力されたパスワードが、予め登録されたパスワードと一致するか否かを判断し、一致する場合に、当該文書ＢＯＸを開くことになる。
【００４９】
上記のように、「セキュリティ表示」の項目７３１が押下され、表示受付手段５００によりセキュリティプレビュー設定条件入力画面７６０が表示されると、上記セキュリティプレビュー設定条件入力画面７６０で、セキュリティプレビュー設定条件が、ユーザにより入力される（図６（Ａ）：Ｓ１０３）。上記設定条件として、ページ数入力項目７６１に、セキュリティ表示させたい原稿画像のページが入力される。本実施例では、１ページ目と３ページ目をセキュリティ表示させるものとし、画質劣化処理の項目の内、「解像度低下」の項目７６５が選択されるものとする。
【００５０】
次に、ユーザが、セキュリティ指定原稿（他人に視認されたくない原稿）を含む原稿束を複合機１００の自動原稿給紙装置１０４にセットし、「読取開始」の項目７８０を押下する。このとき、上記ページ数入力項目７６１で入力したページ（本実施例では１ページと３ページ）に、セキュリティ指定原稿が存在するようにセットすることはいうまでも無い。
【００５１】
上記のように、原稿束がセットされ、「読取開始」の項目７８０が押下されると、セキュリティ設定受付手段５０１が上記原稿読取条件、セキュリティプレビュー設定条件を受け付け、上記原稿読取条件及び、セキュリティプレビュー設定条件を設定条件記憶手段５５０に記憶させる。
【００５２】
更に、上記のように、原稿束がセットされ、「読取開始」の項目７８０が押下されると、画像読取手段５０５が、原稿の読み取りを開始し、読み取った画像を順に画像データ記憶手段５５５に記憶させる（図６（Ａ）：Ｓ１０４→Ｓ１０５→Ｓ１０６）。例えば、読み取った原稿画像は、ファイル名が付されて画像データ記憶手段５５５に記憶される。ここで、画像読取手段５０５が読み取った、原稿画像の各ページについての画像をページ画像と称する。
【００５３】
上記のように、画像読取手段５０５が、画像データ記憶手段５５５に原稿画像を記憶させると、当該画像読取手段５０５は、上記読み取った原稿画像ページ画像を画像データ記憶手段５５５に記憶させた旨をセキュリティ情報付加手段５０８に通知する。これを受けてセキュリティ情報付加手段５０８は、設定条件記憶手段５５０に記憶されたセキュリティプレビュー設定条件を参照して、上記画像データ記憶手段５５５に記憶された原稿画像の各ページ画像に対してユーザによるセキュリティ設定がされているか否かを判断する（図６（Ａ）：Ｓ１０７）。
【００５４】
ここで、セキュリティ設定がされていると判断した場合、当該セキュリティ情報付加手段５０８は、上記画像データ記憶手段５５５に記憶された原稿画像の上記ページ画像にセキュリティ情報（セキュリティ表示がされる旨及び、セキュリティ表示の際の画質劣化処理の処理方法）を付加する（図６（Ａ）：Ｓ１０７ＹＥＳ→Ｓ１０８）。
【００５５】
本実施例では、１ページ目と３ページ目の原稿にセキュリティ設定がされているので、画像データ記憶手段５５５に記憶された原稿画像の１ページ目と３ページ目のページ画像に上記セキュリティ情報（セキュリティ表示がされる旨及び、画質劣化処理の処理方法として、「解像度低下」の情報）が付加される。
【００５６】
画像読取手段５０５は、原稿の次のページが存在するか否か判断し（図６（Ａ）：Ｓ１０９）、全ての原稿について上記処理を行う（図６（Ａ）：Ｓ１０９→Ｓ１１０）。
【００５７】
一方、ユーザによるセキュリティモードへの切り替え要求がない場合、通常モードで原稿を読み取る（図６（Ａ）：Ｓ１０１ＮＯ→Ｓ１１１→ＥＮＤ）。
【００５８】
上記のように、画像読取手段５０５が、ユーザのセットした原稿を全て読み取り、画像データ記憶手段５５５に記憶されると、ユーザが上記画像データ記憶手段５５５に記憶された原稿画像の内容をプレビュー表示したい場合がある。この場合のプレビュー表示の手順は以下のようになる。
【００５９】
まず、表示受付手段５００がタッチパネル３０１に図７（Ａ）に示す処理条件設定画面７００を表示する。原稿画像の内容をプレビュー表示させたいユーザは、上記処理条件設定画面７００に対して、原稿読み取りに関する処理項目タブ７１０を選択する。これを受けて、表示受付手段５００が読取条件入力画面７３０を表示する。そして、ユーザが、原稿画像が保存されている「文書ＢＯＸ」の項目７４０の番号（例えば、「００１」）を押下し、図８（Ａ）に示すように、当該文書ＢＯＸに保存されているファイル名のリストを表示させて、上記リストに表示されたファイルから希望する原稿画像のファイル名を選択する（図６（Ｂ）：Ｓ１１２）。なお、「文書ＢＯＸ」を開く際に、パスワード認証が必要であれば、パスワード認証後に「文書ＢＯＸ」を開き、上記リストを表示させることはいうまでも無い。
【００６０】
上記のように、画像データ記憶手段５５５から所定の原稿画像のファイル名が選択されると、ユーザは、「プレビュー表示」の項目８１０を押下する（図６（Ｂ）：Ｓ１１３ＹＥＳ）。
【００６１】
上記のように、「プレビュー表示」の項目８１０が押下されると、これを受けて、プレビュー表示受付手段５１０が、ユーザにより選択された原稿画像を画像データ記憶手段５５５から取得する（図６（Ｂ）：Ｓ１１４）。次に、上記プレビュー表示受付手段５１０は、画像データ記憶手段５５５から取得した原稿画像の全てのページをプレビュー表示するのであるが、セキュリティプレビュー設定がされたページに関しては、後述のように、セキュリティ表示を行うことになる。
【００６２】
上記のように、プレビュー表示受付手段５１０が、原稿画像を画像データ記憶手段５５５から取得すると、当該プレビュー表示受付手段５１０は、取得した原稿画像に、セキュリティ情報が付加されているページ画像が存在するか否かを判断する（図６（Ｂ）：Ｓ１１５→Ｓ１１６）。
【００６３】
ここで、特定のページ画像にセキュリティ情報が付加されている場合、当該ページ画像に関しては、以下のようにしてプレビュー表示を行う。
【００６４】
すなわち、上記プレビュー表示受付手段５１０は、上記原稿画像のうち、セキュリティ情報が付加されているページ画像について、当該セキュリティ情報に従って画像処理を行う旨を画像処理手段５２０に命じる。これを受けて、画像処理手段５２０は、上記ページ画像のデータをコピーする（図６（Ｂ）：Ｓ１１７）。以下、コピー元のページ画像を元ページ画像と称し、当該元ページ画像をコピーした画像をコピーページ画像と称する。
【００６５】
上記のように、画像処理手段５２０が、コピーページ画像を取得すると、当該画像処理手段５２０は、以下のようにして、上記コピーページ画像に画質劣化処理を施す（図６（Ｂ）：Ｓ１１８）。
【００６６】
まず、画像処理手段５２０は、コピーページ画像に付加されているセキュリティ情報を参照して、セキュリティプレビューの際の画質劣化処理の処理方法を取得する。本実施例では、画質劣化処理の処理方法として「解像度低下」を取得することになる。
【００６７】
更に、画像処理手段５２０は、文字を表わす領域である文字領域と、当該文字領域以外の領域である非文字領域に上記コピーページ画像の領域を分離する。
【００６８】
画像処理手段５２０が、コピーページ画像の領域を文字領域と非文字領域に分離する方法は、公知の方法が採用される。例えば、画像処理手段５２０が上記コピーページ画像を取得すると、当該コピーページ画像を構成する各画素において、隣接する画素とのコントラストを算出する。そして、画像処理手段５２０は、上記算出したコントラストが文字画像を抽出するために予め定められた値以上である場合、当該画素は文字画像を構成する画素と判定することで、上記コピーページ画像から文字領域を抽出する。
【００６９】
上記のように、画像処理手段５２０が文字を表わす領域である文字領域と、当該文字領域以外の領域である非文字領域にコピーページ画像の領域を分離すると、当該画像処理手段５２０は、原稿画像に付加されているセキュリティ情報により取得した、セキュリティプレビューの際の画質劣化処理の処理方法で、上記コピーページ画像の画質劣化処理を行う。
【００７０】
本実施例では、上記画質劣化処理の処理方法として、「解像度低下」を取得したので、画像処理手段５２０は、画質劣化処理方法として、上記コピーページ画像の解像度を低下させる処理を選択する。例えば、上記画像処理手段５２０は、上記コピーページ画像の文字領域部分の解像度を所定値まで低下させる処理を行う。なお、当該解像度を下げる際の所定値は、任意に設定可能とする構成を採用できる。また、上記画質劣化処理は、非文字領域部分の解像度を低下させる構成を採用しても構わない。
【００７１】
次に、画像処理手段５２０は、セキュリティ情報に従って画像処理を実行したコピーページ画像を画像データ記憶手段５５５に記憶させる。このとき、画像処理手段５２０は、上記コピーページ画像をプレビュー画像（原稿画像の上記ページをプレビュー表示する際に、上記コピーページ画像が表示される）として記憶させる。したがって、画像処理手段５２０は、上記コピーページ画像を原稿画像の元ページ画像と関連付けて画像データ記憶手段５５５に記憶させる（図６（Ｂ）：Ｓ１１９）。
【００７２】
上記のように、画像処理手段５２０が、コピーページ画像の画質劣化処理を行うと、当該画像処理手段５２０は、コピーページに画質劣化処理がされた旨をプレビュー表示受付手段５１０に通知する。これを受けて、プレビュー表示受付手段５１０は、上記画質劣化処理がされたコピーページ画像を画像データ記憶手段５５５から取得し、当該コピーページ画像を表示受付手段５００に表示させる（セキュリティ表示）（図６（Ｂ）：Ｓ１２０ＮＯ→Ｓ１２１）。
【００７３】
なお、プレビュー表示受付手段５１０が、原稿画像にセキュリティ情報が付加されていないと判断した場合は、取得したページ画像をプレビュー画像として記憶し、当該元ページ画像をプレビュー表示する（図６（Ｂ）：Ｓ１１６ＮＯ→Ｓ１２４）。
【００７４】
例えば、表示受付手段５００は、図８（Ｂ、Ｃ）に示す画質劣化処理がされたコピーページ画像８３０をタッチパネル３０１に表示する。図８（Ｂ）は、１枚のページ画像ごとに表示する構成を採用した。図８（Ｂ）で示すように、文字領域のみの解像度が低下して表示されており、非文字領域である図形８３５は、解像度が低下されることなく表示されているので、ユーザは、解像度が低下されることなく表示されている非文字領域の図形８３５を確認することで、ユーザが選択した画像が表示されているか否かが判断可能である。
【００７５】
また、図８（Ｃ）には、原稿画像のページ順にページ画像が表示されている。本実施例では、１ページ目と３ページ目にセキュリティ設定がされているので、１ページ目と３ページ目のページ画像（８５１，８５３）がセキュリティ表示されている。
【００７６】
なお、原稿画像のページ数が多い場合は、所定数のページ画像毎にタッチパネル３０１に表示させる構成を採用することができる。例えば、「次ページ」の項目８６０を押下することで、次の所定数毎のページ画像を表示する構成を採用できる。
【００７７】
プレビュー表示受付手段５１０は記憶手段から取得した原稿画像について、次のページ画像が存在するか否かを判断し、次のページ画像が存在すると判断すれば、上記の操作を繰り返すことになる（図６（Ｂ）：Ｓ１２０ＹＥＳ→Ｓ１２５）。
【００７８】
上記のように、表示受付手段５００が、上記ページ画像をタッチパネル３０１に表示し、ユーザが原稿画像の確認だけを行い、画像形成処理を行わない場合、ユーザは、図８（Ｂ）に示す「キャンセル」の項目８４１を押下する。これを受けて、表示受付手段５００は、タッチパネル３０１のページ画像の表示を中止し、複合機１００の処理は終了する（図６（Ｂ）：Ｓ１２２ＮＯ→Ｅｎｄ）。なお、表示受付手段５００が、上記ページ画像をタッチパネル３０１に表示してから、所定時間ユーザからの操作が無い場合も上記と同様に、表示受付手段５００がタッチパネル３０１のページ画像の表示を中止し、複合機１００の処理が終了する構成を採用しても構わない。
【００７９】
一方、上記のように、表示受付手段５００が、上記ページ画像をタッチパネル３０１に表示し、ユーザが、画像形成処理を要求する場合は以下のように画像形成処理を行う（図６（Ｂ）：Ｓ１２２ＹＥＳ）。
【００８０】
例えば、ユーザは、図８（Ｂ）に示す印刷項目８４０を押下する。これを受けて、表示受付手段５００は、当該原稿画像に対する画像形成処理の要求を受け付ける。そして、表示受付手段５００は、設定条件記憶手段５５０に記憶された設定条件で原稿画像を画像形成する旨を機能提供手段５６０に指示する。これを受けて、機能提供手段５６０は、上記原稿画像を画像データ記憶手段５５５から取得し、設定条件記憶手段５５０に記憶された設定条件で当該原稿画像を画像形成することになる（図６（Ｂ）：Ｓ１２３→Ｅｎｄ）。なお、機能提供手段５６０が画像データ記憶手段５５５から原稿画像を取得する際には、セキュリティ表示されているコピーページ画像については、当該コピーページ画像に関連付けられた元ページ画像を取得することになる。
【００８１】
一方、ユーザにより、プレビュー表示の要求が無い場合であって、画像形成要求があるときは、プレビュー表示されないで画像形成されることは言うまでも無い（図６（Ｂ）：Ｓ１１３ＮＯ→Ｓ１２２）。
【００８２】
（実施の形態２）
実施の形態１の複合機１００は、プレビュー表示させる際に、画像処理手段５２０が画質劣化処理する構成を採用した、これに対して、実施の形態２の複合機１００は、原稿を読み取る際に、画像処理手段５２０が画質劣化処理する点が異なる。図９、１０を参照して、実施の形態２の複合機１００を説明する。
【００８３】
まず、実施の形態１のように、ユーザが原稿読取条件の設定及び、セキュリティプレビュー設定を行い、「読取開始」の項目７８０が押下されると、セキュリティ設定受付手段５０１が上記原稿読取条件及び、セキュリティプレビュー設定条件を受け付け、上記原稿読取条件及び、セキュリティプレビュー設定条件を設定条件記憶手段５５０に記憶させる。
【００８４】
更に、上記のように、「読取開始」の項目７８０が押下されると、画像読取手段５０５が、原稿の読み取りを開始し、読み取った画像（ページ画像）を画像データ記憶手段５５５に順に記憶させる。
【００８５】
そして、画像読取手段５０５は、上記読み取った画像を画像データ記憶手段５５５に記憶させた旨をセキュリティ情報付加手段５０８に通知する。これを受けてセキュリティ情報付加手段５０８は、セキュリティ設定処理が可能であると判断する（図９（Ａ）：Ｓ２０１ＹＥＳ）。
【００８６】
上記のように、セキュリティ情報付加手段５０８が、セキュリティ設定処理が可能であると判断すると、セキュリティ情報付加手段５０８は、画像データ記憶手段５５５に記憶された原稿画像のページ画像を取得する（図９（Ａ）：Ｓ２０２→Ｓ２０３）。そして、セキュリティ情報付加手段５０８は、上記設定条件記憶手段５５０に記憶されたセキュリティ設定条件を参照して、上記画像データ記憶手段５５５に記憶された原稿画像の各ページ画像に、ユーザによるセキュリティ設定がされているか否かを判断する。
【００８７】
ここで、セキュリティ情報付加手段５０８が、原稿画像の特定のページ画像に、ユーザによるセキュリティ設定がされていると判断した場合（図９（Ａ）：Ｓ２０４ＹＥＳ）、上記ページ画像にセキュリティ情報を付加する（図９（Ａ）：Ｓ２０５）。
【００８８】
上記のように、セキュリティ情報付加手段５０８が、上記ページ画像にセキュリティ情報を付加すると、当該セキュリティ情報付加手段５０８は、ページ画像にセキュリティ情報が付加された旨を画像処理手段５２０に通知する。
【００８９】
これを受けて、画像処理手段５２０は、上記セキュリティ情報が付加されたページ画像（元ページ画像）のデータをコピーして、コピーページ画像を取得する（図９（Ａ）：Ｓ２０６）。
【００９０】
次に、画像処理手段５２０は、上記コピーページ画像に対して画質劣化処理を行う（図９（Ａ）：Ｓ２０７）。この処理は、実施の形態１のステップＳ１１８と同じであるので説明を省略する。
【００９１】
そして、上記のように、画像処理手段５２０が、コピーページ画像の画質劣化処理を行うと、当該画像処理手段５２０は、上記コピーページ画像をプレビュー画像として記憶する。なお、画像処理手段５２０は、上記コピーページ画像を原稿画像の元ページ画像と関連付けて画像データ記憶手段５５５に記憶させる（図９（Ａ）：Ｓ２０８）。
【００９２】
一方、セキュリティ情報付加手段５０８が、ユーザによるセキュリティ設定がされていないと判断した原稿画像のページ画像については、取得したページ画像をプレビュー画像として記憶することになる（図９（Ａ）：Ｓ２０４ＮＯ→Ｓ２１１）。
【００９３】
上記セキュリティ設定受付手段５０１は、画像データ記憶手段５５５に記憶された原稿画像の全てのページ画像について上記処理を行い（図９（Ａ）：Ｓ２０９ＹＥＳ→Ｓ２１０）、全てのページ画像についての処理を行うと処理を終了する（図９（Ａ）：Ｓ２０７ＮＯ→Ｅｎｄ）。
【００９４】
次に、ユーザが上記画像データ記憶手段５５５に記憶された原稿画像をプレビュー表示させたい場合には、画像データ記憶手段５５５から原稿画像を選択する。この処理は、実施の形態１のステップＳ１１２と同じであるので説明を省略する（図９（Ｂ）：Ｓ２１２）。
【００９５】
次に、ユーザにより画像データ記憶手段５５５から所定の原稿画像が選択され、「プレビュー表示」の項目８１０が押下されると（図９（Ｂ）：Ｓ２１３ＹＥＳ）、プレビュー表示受付手段５１０が選択された原稿画像のプレビュー画像を画像データ記憶手段５５５から取得する（図９（Ｂ）：Ｓ２１４）。そして、上記プレビュー表示受付手段５１０は、取得したプレビュー画像をプレビュー表示する（図９（Ｂ）：Ｓ２１５）。
【００９６】
上記画像データ記憶手段５５５には、原稿画像の内、セキュリティ表示させたいページについては、画質劣化させたコピーページ画像がプレビュー画像として記憶されており、セキュリティ表示の必要の無いページについては、画質劣化されていないページ画像がプレビュー画像として記憶されている。よって、プレビュー表示受付手段５１０が、上記プレビュー画像を表示することで、原稿画像のセキュリティ表示が必要なページに対しては、セキュリティ表示された画像が表示され、セキュリティ表示の必要の無いページに対しては、セキュリティ表示がなされずに、プレビュー表示されることになる。
【００９７】
その後の処理は実施の形態１と同じであるので、説明を省略する。
【００９８】
（その他）
本実施の形態では、元ページ画像と、コピーページ画像を画像データ記憶手段５５５に記憶させたが、これに対して、元ページ画像を任意の送信先に送信する構成を採用することもできる。
【００９９】
例えば、画質劣化処理を行う際に、元ページ画像のデータをコピーして、当該コピーページ画像をユーザが指定した任意の宛先に送信する。その後画像データ記憶手段５５５に記憶された元ページ画像に対して、画質劣化処理を施すことができる。
【０１００】
すなわち、原稿画像を読み取る前に、ページ画像のデータの送信先をユーザから受け付ける送信先受付手段と、プレビュー表示受付手段５１０がコピーページ画像をセキュリティプレビュー表示すると、当該コピーページ画像に対応する元ページ画像のデータを上記送信先に送信するデータ送信手段とを備える構成を採用することができる。
【０１０１】
上記の構成であると、上記ページ画像を受信したコンピュータ等から原稿画像の画像形成を行うことができる。すなわち、上記コンピュータの画面で画質劣化処理の施されていないページ画像を確認した上で、印刷することができる。
【０１０２】
実施の形態１及び２では、画像読取手段５０５が原稿画像を読み取り前に、セキュリティ表示させたい原稿画像をユーザが予め選択する構成を採用した。これに対して、画像読取手段５０５が原稿画像を読み取り後に、セキュリティ表示させたい原稿画像のページ画像をユーザが選択する構成を採用することもできる。
【０１０３】
例えば、図１１（Ａ）に示すように、プレビュー表示受付手段５１０が、読み取った原稿画像を表示画面８５０に表示させる。上記原稿画像の内からユーザがセキュリティ表示させたいページ画像（例えば、画像１１０１）を更に選択し、セキュリティプレビューの項目１１１０を押下すると、プレビュー表示受付手段５１０がこれを受け付け、画像処理手段５２０に、画質劣化処理をさせる構成を採用することもできる。例えば、図１１（Ｂ）に示すように、上記選択された画像１１０１がセキュリティ表示で表示される。なお、当該ページ画像に、セキュリティ情報付加手段５０８が、セキュリティ情報を付加した上で画像劣化処理を行う構成でも構わない。
【０１０４】
実施の形態１及び２では、原稿画像を記憶させる文書ＢＯＸを開く際にパスワード認証を採用した。これに対して、セキュリティ表示させたコピーページ画像に関連付けられた原稿画像を印刷する際にパスワード認証をする構成を採用しても構わない。例えば、セキュリティプレビュー設定条件入力画面７６０で、セキュリティプレビュー設定を行う際に、ユーザがパスワードを設定できる構成を採用し、セキュリティ表示した原稿画像（コピーページ画像）に関連付けられた元ページ画像を印刷する際に、上記パスワード認証を必要とする構成を採用することができる。
【０１０５】
実施の形態１及び２では、文字領域を画質劣化する構成を採用した、これに対して、文字領域以外の非文字領域について、画質劣化等の処理を行う構成を採用することも可能である。例えば、非文字領域に別の画像を上書き表示することで、原稿画像のレイアウト等の概略を崩すことなく、セキュリティ表示することができる。
【０１０６】
画質劣化処理として、特定の領域、例えば、文字を含む領域について、解像度を低下させる方法の他、画像をぼかす処理や、カラー画像をモノクロ画像で表示する処理が考えられる。画像をぼかす方法や、カラー画像をモノクロ画像で表示する方法は、公知の方法で実現できるので、本実施例では説明を省略した。なお、カラー画像をモノクロ画像で表示する方法を採用すると、当該画像を目立たなくさせることができるので、この方法によってもセキュリティ表示の効果が生じることは言うまでも無い。
【０１０７】
実施の形態において、セキュリティ表示させた原稿画像を解除可能な構成を採用することもできる。例えば、図８（Ｂ）に示すようにセキュリティ解除の項目を押下（セキュリティ解除要求）すると、プレビュー表示受付手段５１０がこれを受けつけ、画質劣化されたコピーページ画像の表示を止めて、当該コピーページ画像に関連付けられた元ページ画像を表示する構成を採用することができる。なお、プレビュー表示受付手段５１０がセキュリティ解除要求を受け付ける際に、パスワードによる認証を行うことが望ましい。
【産業上の利用可能性】
【０１０８】
本発明を使用すると、原稿画像をプレビュー画面で確認する際に、他人が、プレビュー画面を視認することにより、原稿画像の内容が当該他人に知られることを防ぎ、且つ、ユーザ本人にはプレビュー画面表示された原稿画像が特定可能となる。したがって、その産業上の利用可能性は大きい。
【符号の説明】
【０１０９】
１００  複合機
５００  表示受付手段
５０１  セキュリティ設定受付手段
５０５  画像読取手段
５０８  セキュリティ情報付加手段
５１０  プレビュー表示受付手段
５２０  画像処理手段
５５０  設定条件記憶手段
５５５  画像データ記憶手段
５６０  機能提供手段
【図１】
2010258771.tif 000003
【図２】
2010258771.tif 000004
【図３】
2010258771.tif 000005
【図４】
2010258771.tif 000006
【図５】
2010258771.tif 000007
【図６（Ａ）】
2010258771.tif 000008
【図６（Ｂ）】
2010258771.tif 000009
【図７】
2010258771.tif 000010
【図８】
2010258771.tif 000011
【図９（Ａ）】
2010258771.tif 000012
【図９（Ｂ）】
2010258771.tif 000013
【図１０】
2010258771.tif 000014
【図１１】
2010258771.tif 000015